【手続補正書】
【提出日】平成27年1月23日(2015.1.23)
【手続補正１】
【補正対象書類名】特許請求の範囲
【補正対象項目名】全文
【補正方法】変更
【補正の内容】
【特許請求の範囲】
【請求項１】
眼科撮影装置によって取得された第１正面画像の画像データと，該第１正面画像と同一の撮影領域に関して該第１正面画像と異なるタイミングで取得された第２正面画像の画像データと，を記憶部から取得し、
該第１正面画像における一部の画像データである第１画像データを該第１正面画像の画像データから抽出し、該第１正面画像から抽出した該第１画像データとは異なる部分の第２画像データを該第２正面画像の画像データから抽出し、抽出した各画像データを合成処理することによって、該第１正面画像と該第２正面画像との位置ずれを確認するための合成正面画像を作成する画像処理部と、
前記画像処理部によって作成された前記合成正面画像をモニタ上に表示する表示制御部と、
を有し、眼科撮影装置によって取得された異なる画像データ間の位置合わせを行う眼科画像処理装置。
【請求項２】
請求項１の眼科画像処理装置において、
前記第１画像データと前記第２画像データが静止画データであって、
前記画像合成部は、前記合成正面画像中において、前記第１画像データと前記第２画像データが交互に繰り返して配置されるように、該第１画像データと該第２画像データを抽出し、合成処理を行う眼科画像処理装置。
【請求項３】
眼科撮影装置によって取得された第１三次元画像の画像データと，該第１三次元断層画像と同一の撮影領域に関して該第１三次元画像と異なるタイミングで取得された第２三次元画像の画像データと，を記憶部から取得し、
該第１三次元画像における一部の画像データである第１画像データを該第１三次元画像の画像データから抽出し、該第１三次元画像から抽出した該第１画像データとは異なる部分の第２画像データを該第２三次元画像の画像データから抽出し、抽出した各画像データを合成処理することによって、該第１三次元画像と該第２三次元画像との位置ずれを確認するための合成三次元画像を作成する画像処理部と、
前記画像処理部によって作成された前記合成三次元画像をモニタ上に表示する表示制御部と、
を有し、眼科撮影装置によって取得された異なる画像データ間の位置合わせを行う眼科画像処理装置。
【請求項４】
眼科撮影装置によって取得された第１画像の画像データと，該第１画像と同一の撮影領域に関して該第１画像と異なるタイミングで取得された第２画像の画像データと，を記憶部から取得し、
該第１画像における一部の画像データである第１画像データを該第１画像の画像データから抽出し、該第１画像から抽出した該第１画像データとは異なる部分の第２画像データを該第２画像の画像データから抽出し、抽出した各画像データを合成処理することによって、該第１画像と該第２画像との位置ずれを確認するための合成画像を作成する画像処理部と、
前記画像処理部によって作成された前記合成画像をモニタ上に表示する表示制御部と、
を有し、眼科撮影装置によって取得された異なる画像データ間の位置合わせを行う眼科画像処理装置。
【請求項５】
眼科撮影装置によって取得された第１正面画像の画像データと，該第１正面画像と同一の撮影領域に関して該第１正面画像と異なるタイミングで取得された第２正面画像の画像データと，を記憶部から取得し、
該第１正面画像における一部の画像データである第１画像データを該第１正面画像の画像データから抽出し、該第１正面画像から抽出した該第１画像データとは異なる部分の第２画像データを該第２正面画像の画像データから抽出し、抽出した各画像データを合成処理することによって、該第１正面画像と該第２正面画像との位置ずれを確認するための合成正面画像を作成する画像処理工程と、
前記画像処理部によって作成された前記合成正面画像をモニタ上に表示する表示制御工程と、
をコンピュータに実行させることを特徴とする眼科画像処理プログラム。
【手続補正２】
【補正対象書類名】明細書
【補正対象項目名】００１０
【補正方法】変更
【補正の内容】
【００１０】
（１）  本開示の第１態様に係る眼科画像処理装置は、眼科撮影装置によって取得された第１正面画像の画像データと，該第１正面画像と同一の撮影領域に関して該第１正面画像と異なるタイミングで取得された第２正面画像の画像データと，を記憶部から取得し、該第１正面画像における一部の画像データである第１画像データを該第１正面画像の画像データから抽出し、該第１正面画像から抽出した該第１画像データとは異なる部分の第２画像データを該第２正面画像の画像データから抽出し、抽出した各画像データを合成処理することによって、該第１正面画像と該第２正面画像との位置ずれを確認するための合成正面画像を作成する画像処理部と、前記画像処理部によって作成された前記合成正面画像をモニタ上に表示する表示制御部と、を有し、眼科撮影装置によって取得された異なる画像データ間の位置合わせを行う。
（２）  本開示の第２態様に係る眼科画像処理装置は、眼科撮影装置によって取得された第１三次元画像の画像データと，該第１三次元断層画像と同一の撮影領域に関して該第１三次元画像と異なるタイミングで取得された第２三次元画像の画像データと，を記憶部から取得し、該第１三次元画像における一部の画像データである第１画像データを該第１三次元画像の画像データから抽出し、該第１三次元画像から抽出した該第１画像データとは異なる部分の第２画像データを該第２三次元画像の画像データから抽出し、抽出した各画像データを合成処理することによって、該第１三次元画像と該第２三次元画像との位置ずれを確認するための合成三次元画像を作成する画像処理部と、前記画像処理部によって作成された前記合成三次元画像をモニタ上に表示する表示制御部と、を有し、眼科撮影装置によって取得された異なる画像データ間の位置合わせを行う。
（３）  本開示の第３態様に係る眼科画像処理装置は、眼科撮影装置によって取得された第１画像の画像データと，該第１画像と同一の撮影領域に関して該第１画像と異なるタイミングで取得された第２画像の画像データと，を記憶部から取得し、該第１画像における一部の画像データである第１画像データを該第１画像の画像データから抽出し、該第１画像から抽出した該第１画像データとは異なる部分の第２画像データを該第２画像の画像データから抽出し、抽出した各画像データを合成処理することによって、該第１画像と該第２画像との位置ずれを確認するための合成画像を作成する画像処理部と、前記画像処理部によって作成された前記合成画像をモニタ上に表示する表示制御部と、を有し、眼科撮影装置によって取得された異なる画像データ間の位置合わせを行う。
（４）  本開示の第４態様に係る眼科画像処理プログラムは、眼科撮影装置によって取得された第１正面画像の画像データと，該第１正面画像と同一の撮影領域に関して該第１正面画像と異なるタイミングで取得された第２正面画像の画像データと，を記憶部から取得し、該第１正面画像における一部の画像データである第１画像データを該第１正面画像の画像データから抽出し、該第１正面画像から抽出した該第１画像データとは異なる部分の第２画像データを該第２正面画像の画像データから抽出し、抽出した各画像データを合成処理することによって、該第１正面画像と該第２正面画像との位置ずれを確認するための合成正面画像を作成する画像処理工程と、前記画像処理部によって作成された前記合成正面画像をモニタ上に表示する表示制御工程と、をコンピュータに実行させることを特徴とする。